(57)【要約】      （修正有）【課題】空気排出部材及び逆止弁付き空気注入部材を取り付けた清潔な空気まくらを提供する。【解決手段】空気まくら本体１の一部にチューブ接続部２を有し、該接続部から延伸したチューブ６の先端部に空気排出部材４と逆止弁付き空気注入部材３が順に接続されている。前記空気排出部材４は、コイル状バネと密封板８を内蔵した上下端が封止された筒状体からなり、また前記逆止弁付き空気注入部材３は、弾性部材の楕円球状体からなり、該楕円球状体の長径方向の両端にそれぞれ空気吸入口を有する逆止弁及び空気送出用逆止弁を有し、該空気送出用逆止弁が空気排出部材４の空気流入部に接続されている。【選択図】図１
0003163934.tif 000002
【実用新案登録請求の範囲】
【請求項１】
空気まくら本体の一部にチューブ接続部を有し、該接続部から延伸したチューブの先端部に空気排出部材と逆止弁付き空気注入部材が順に接続されていることを特徴とする清潔な空気まくら。
【請求項２】
空気まくら本体の一部にチューブ接続部を有し、該接続部から延伸したチューブの先端部に空気排出部材と逆止弁付き空気注入部材が順に接続されている清潔な空気まくらであって、前記空気排出部材には、密封板に嵌合した排出弁を有し、更に前記逆止弁付き空気注入部材は、その両端にそれぞれ逆止弁を有する弾性部材で構成された中空体からなることを特徴とする清潔な空気まくら。
【請求項３】
前記空気排出部材は、コイル状バネと密封板を内蔵した上下端が封止された筒状体からなり、該筒状体の下部に空気流入部及び空気流出部を有すると共に、該筒状体の天井部を貫通して頭部を有する心棒が挿入され、該心棒の先端に球状体を有し、該心棒は、コイル状バネと密封板を貫通して設けられていることを特徴とする請求項２に記載の清潔な空気まくら。
【請求項４】
前記逆止弁付き空気注入部材は、弾性部材の楕円球状体からなり、該楕円球状体の長径方向の両端にそれぞれ空気吸入口を有する逆止弁及び空気送出用逆止弁を有し、該空気送出用逆止弁が空気排出部材の空気流入部に接続されていることを特徴とする請求項２又は請求項３に記載の清潔な空気まくら。
【考案の詳細な説明】
【技術分野】
【０００１】
本考案は、持ち歩きのできる空気まくら、即ち清潔な携帯用空気まくらに関するものであり、更に本考案は、リクレーション、旅行やビジネスで出張する際、長距離列車や空港などで時間待ちしている間に仮眠する場合に使用するのに便利な持ち歩きのできる清潔な空気まくらに関するものである。
【背景技術】
【０００２】
従来、空気まくらは、知られており、使用の際、空気注入口より、通常、口で息を吹き込み、まくら本体を膨らませて栓により封入した後、首の周りに当接して首を自然のままの状態に維持しながら仮眠することができるものである。また使用後は、栓を抜いて空気を抜いた後、折りたたんでおく。このような空気まくらの例としては、平面略Ｕ字状に形成されたまくら本体を有し、この空気まくらの端部に空気注入口を有しており、この空気注入口から空気を吹き込むことにより膨らませ、膨らんだ空気まくらを人の頚部に当接させて包み込み頭部を安定させて座ったまま仮眠することができる仮眠用空気まくらが開示されている（例えば、特許文献１参照）。
【先行技術文献】
【特許文献】
【０００３】
【特許文献１】実開平３−９６６０号公報（実用新案登録請求の範囲、第１図）
【考案の概要】
【考案が解決しようとする課題】
【０００４】
しかしながら、実開平３−９６６０号公報に記載されている空気まくらは、空気の注入に際し、注入口に唇を当て息を吹き込むことにより行う点から、注入口へ唇を宛がうので、あまり清潔なものではなく、自分自身で使用する場合には、良いとしても、他人に貸したりする場合もあり、清潔性という点で問題があった。
【０００５】
そこで、本考案者は、上記の問題点につき、種々検討し、空気の注入を口から息を吹き込むのではなく、簡便な器具を取り付けて、空気の注入を、該器具を使用して容易かつ簡単に手で行うことができることを見出した。本考案は、この知見に基づいてなされたものである。
【０００６】
しがたって、本考案が解決しようとする課題は、容易に空気が注入できるばかりでなく清潔に空気の注入ができる清潔な空気まくらを提供することにある。
【課題を解決するための手段】
【０００７】
上記の本考案が解決しようとする課題は、以下の各考案によりそれぞれ達成される。
【０００８】
（１）空気まくら本体の一部にチューブ接続部を有し、該接続部から延伸したチューブの先端部に空気排出部材と逆止弁付き空気注入部材が順に接続されていることを特徴とする清潔な空気まくら。
（２）空気まくら本体の一部にチューブ接続部を有し、該接続部から延伸したチューブの先端部に空気排出部材と逆止弁付き空気注入部材が順に接続されている清潔な空気まくらであって、前記空気排出部材には、密封板に嵌合した排出弁を有し、更に前記逆止弁付き空気注入部材は、その両端にそれぞれ逆止弁を有する弾性部材で構成された中空体からなることを特徴とする清潔な空気まくら。
（３）前記空気排出部材は、コイル状バネと密封板を内蔵した上下端が封止された筒状体からなり、該筒状体の下部に空気流入部及び空気流出部を有すると共に、該筒状体の天井部を貫通して頭部を有する心棒が挿入され、該心棒の先端に球状体を有し、該心棒は、コイル状バネと密封板を貫通して設けられていることを特徴とする前記第２項に記載の清潔な空気まくら。
（４）前記逆止弁付き空気注入部材は、弾性部材の楕円球状体からなり、該楕円球状体の長径方向の両端にそれぞれ空気吸入口を有する逆止弁及び空気送出用逆止弁を有し、該空気送出用逆止弁が空気排出部材の空気流入部に接続されていることを特徴とする前記第２項又は第３項に記載の清潔な空気まくら。
【考案の効果】
【０００９】
上記（１）の本考案の清潔な空気まくらは、空気まくら本体の一部にチューブ接続部を有し、該接続部から延伸したチューブの先端部に空気排出部材と逆止弁付き空気注入部材が順に接続されていることにより、口で息を吹き込む必要がなく、手で逆止弁付き空気注入部材の押圧を繰り返すだけで空気まくらを膨らますことができるので、容易にかつ簡単に空気まくらを膨らますことができるばかりでなく、空気まくらを極めて清潔下に空気を注入することができるという優れた効果を奏するものである。
【００１０】
上記（２）の本考案の清潔な空気まくらは、空気まくら本体の一部にチューブ接続部を有し、該接続部から延伸したチューブの先端部に空気排出部材と逆止弁付き空気注入部材が順に接続されている清潔な空気まくらであって、前記空気排出部材には、密封板に嵌合した排出弁を有し、更に前記逆止弁付き空気注入部材は、その両端にそれぞれ逆止弁を有する弾性部材で構成された中空体からなることにより、空気排出部材及び逆止弁付き空気注入部材が共にコンパクトに形成できるので、持ち運びが極めて簡単にできると共に使い方が簡単であるという優れた効果を奏するものである。
【００１１】
上記（３）の本考案の清潔な空気まくらは、前記第２項の記載において、前記空気排出部材は、コイル状バネと密封板を内蔵した上下端が封止された筒状体からなり、該筒状体の下部に空気流入部及び空気流出部を有すると共に、該筒状体の天井部を貫通して頭部を有する心棒が挿入され、該心棒の先端に球状体を有し、該心棒は、コイル状バネと密封板を貫通して設けられていることにより、空気まくらに充満している空気を簡単に排出することができるという優れた効果を奏するものである。
【００１２】
上記（４）の本考案の清潔な空気まくらは、前記第２項又は第３項の記載において、前記逆止弁付き空気注入部材は、弾性部材の楕円球状体からなり、該楕円球状体の長径方向の両端にそれぞれ空気吸入口を有する逆止弁及び空気送出用逆止弁を有し、該空気送出用逆止弁が空気排出部材の空気流入部に接続されていることにより、楕円球状体は、弾性部材からできているので、押圧することにより内部の空気は空気送出用逆止弁を通じて押し出され、空気まくら内に流入し、押圧を止めると弾性部材の弾性によって元へ戻ろうとするので、逆止弁付き空気注入部材の入口から空気が楕円球状体内に流入するので、これを繰り返すことにより空気まくらを簡単に膨らませることができるという優れた効果を奏するものである。
【図面の簡単な説明】
【００１３】
【図１】本考案の空気まくらを示す略斜視図である。
【図２】本考案に用いられる空気排出部材と逆止弁付き空気注入部材とを接続したところを示した略図である。
【図３】本考案に用いられる空気排出部材が密閉状態であるところを示す断面図である。
【図４】本考案に用いられる空気排出部材が開放状態であるところを示す断面図である。
【考案を実施するための形態】
【００１４】
以下に、本考案の実施の形態を説明するが、本考案はこれらの例によって限定されるものではない。
【００１５】
図１は、本考案の空気まくらを示す略斜視図である。図２は、本考案に用いられる空気排出部材と逆止弁付き空気注入部材とを接続したところを示した略図である。図１及び図２において、本考案の空気まくらは、一例として、Ｕ字形状の空気まくらについて説明すると、空気まくらＩは、まくら本体１に空気を注入するためのチューブ接続部２を有している。このチューブ接続部２は、まくら本体１の適宜の場所に設けてもよく、しかし、使用に際し、あまり邪魔にならない場所が好ましく、したがって、まくら本体１の両側又は中央部などでよい。まくら本体１の材質は、特に限定されるものではなく、通常、空気まくらや浮きぶくろなどに用いられるもので十分である。チューブ６をチューブ接続部２に接続するには、接着剤又は熱融着などの普通に用いられる手段でよい。
【００１６】
また空気注入部材３は、弾性部材で構成させており、その形状は、楕円球状体が好ましが、球体であってもよい。したがって、この楕円球状体とは、球体を含む意味で使用している。前記楕円球状体が楕円状は、楕円体の長径方向の両端にそれぞれ空気吸入口５を有する逆止弁７２及び空気送出用逆止弁７３を有している。また該空気送出用逆止弁７３は、空気排出部材４の空気流入部１５に接続されている（図３及び図４参照）。該逆止弁７２は、空気流入側に弁片７１を有しており、空気吸入口５より流入した空気は、弁片７１を押して空気注入部材３内へ導入される。更に空気送出用逆止弁７３では、同様に弁片７４を有しており、空気注入部材３を押圧すると、空気吸入口５を有する逆止弁７２に設けられている弁片７１が閉塞し、同時に弁片７４が開放され、空気注入部材３の中の空気は、流出して空気排出部材４の下部で密封板８により仕切られた下側を通過してまくら本体内へ注入される。
【００１７】
図３は、空気排出部材の密封板が閉塞された状態を示す断面図であり、また図４は、空気排出部材の密封板の円孔が開放された状態であって、密封板の中心部で切断したところを示す断面図である。図３において、空気排出部材４は、上面４１及び下面４２が密閉された円筒体からなり、その内部に円形からなる密封板８がその下方に設置されている。この密封板８の中央部には円孔８１が設けられている。また排出弁９の弁体１１の大きさは、密封板８の円孔８１より大きければよいが、好ましくは円孔８１に嵌合した場合に完全に機密が形成される大きさがよい。排出弁９には、下方に延びる心棒１０を有しており、その先端に球形の弁体１１が設けられている。また円筒体の上面４１には、中央部に円孔４３が設けられており、該円孔４３を貫通してコイル状バネ１２に挿入された心棒１０が挿入されている。図４に示されるように、排出弁９の心棒１０の先端には、密封板８の円孔８１を貫通した状態で球形の弁体１１が設けられている。更に前記空気排出部材４の下方に設けられている密封板８の下部には、その側壁には対向して空気流入部１３と空気流出部１４の筒上体を有している。この空気流出部１４には、チューブ６を接続し、また空気流入部１３には、空気注入部１５が接続されている。
【００１８】
本考案に用いられる空気排出部材４は、通常は、図３に示される状態、即ち、コイル状バネ１２により排出弁９は、上方に持ち上げられるように力は不勢しており、その結果、密封板８と弁体１１とは閉塞状態となっており、空気は遮断されている。したがって、空気注入部材３で空気を注入しているときや注入した後は、空気排出部材４の下部を空気は流通している。空気排出部材４から空気を排出する場合には、図４に示されるように、排出弁９を押すと、弁体１１が密封板８の円孔８１から離れるので、空気はその円孔８１を通って上面４１の貫通孔４３から外部へ排出される。したがって、空気まくらＩを使用するときは、空気注入部材３を押圧して空気を空気まくらＩに注入し膨らませる。膨らんだ空気まくらＩを首の周りに当てがい、仮眠する。使用後、空気まくらＩの空気を抜くときは、前記空気排出部材４の排出弁９を押すことによって空気を排出し空気まくらＩを折り畳むことができる。
【産業上の利用可能性】
【００１９】
本考案の空気まくらは、旅行やビジネスで出張する際、長距離列車や空港などで時間待ちしている間に仮眠する場合に使用するのに便利な持ち歩きのできる清潔な空気まくらであって、今後、一時的に仮眠を取る場合が増えるなか、空気まくらを携帯する機会が増えるので、車、長距離列車、空港などで使用され、産業上の利用可能性は大きいといえる。
【符号の説明】
【００２０】
１  まくら本体
２  チューブ接続部
３  空気注入部材
４  空気排出部材
５  空気吸入口
６  チューブ
８  密封板
９  排出弁
１０  心棒
１１  弁体
１２  コイル状バネ
１３  空気流入部
１４  空気流出部
１５  空気注入部
４１  上面
４２  下面
４３、８１  円孔
７１、７４  弁片
７２  空気吸入口を有する逆止弁
７３  空気送出用逆止弁
【図１】
0003163934.tif 000003
【図２】
0003163934.tif 000004
【図３】
0003163934.tif 000005
【図４】
0003163934.tif 000006